(57)【要約】【課題】フィットネスクラブ等でのトレーニングを安全に行うことを可能とする、トレーニングシステム、トレーニング情報伝達方法、及び、携帯端末を提供する。【解決手段】ＩＤ（識別符号）を受信するとトレーニング開始メッセージを生成し、前記トレーニング開始メッセージを送信する第１の携帯端末と、前記第１の携帯端末が送信する前記トレーニング開始メッセージを受信する第２の携帯端末とを含むトレーニングシステムとした。【選択図】      図１
2009018026.tif 000002
【特許請求の範囲】
【請求項１】
ＩＤ（識別符号）を受信するとトレーニング開始メッセージを生成し、前記トレーニング開始メッセージを送信する第１の携帯端末と、
前記第１の携帯端末が送信する前記トレーニング開始メッセージを受信する第２の携帯端末と、
を含むトレーニングシステム。
【請求項２】
さらに、トレーニング機材を含み、
前記ＩＤは、前記トレーニング機材が送信するトレーニング機材ＩＤである、
ことを特徴とする請求項１に記載のトレーニングシステム。
【請求項３】
前記トレーニング機材は、前記トレーニング機材ＩＤを記憶する記憶部と、
前記第１の携帯端末と近距離無線によって通信する第１の近距離無線通信部とを含み、
前記第１の携帯端末は、前記トレーニング機材と近距離無線によって通信する第２の近距離無線通信部と、
前記第１の携帯端末の動作制御を行う制御部と、
前記第２の携帯端末と無線通信を行う第１の無線通信部とを含み、
前記第２の携帯端末は、前記第１の携帯端末と無線通信を行う第２の無線通信部を含み、
前記第１の携帯端末の前記制御部は、近距離無線によって前記トレーニング機材から前記トレーニング機材ＩＤを受信すると、ユーザが前記トレーニング機材ＩＤを有する前記トレーニング機材を使用してトレーニングを開始しようとしている旨の前記トレーニング開始メッセージを生成し、無線通信によって前記第２の携帯端末に向けて送信し、
前記第２の携帯端末は、無線通信によって前記第１の携帯端末からの前記トレーニング開始メッセージを受信すると、前記トレーニング開始メッセージを表示あるいは発声する、
ことを特徴とする請求項２に記載のトレーニングシステム。
【請求項４】
前記トレーニング機材の前記記憶部は、さらに、前記トレーニング機材に設定された負荷を負荷コードとして記憶し、
前記第１の携帯端末は、さらに、トレーニング種目ごとのユーザの筋力に見合った最大負荷を示すテーブルを記憶するテーブル記憶部を含み、
前記第１の携帯端末の前記制御部は、近距離無線によって前記トレーニング機材から前記トレーニング機材ＩＤと前記負荷コードを受信すると、前記負荷コードと、前記テーブル内の前記トレーニング機材ＩＤに対応するトレーニング種目の最大負荷を比較し、前記負荷コードが前記最大負荷を越えている場合、ユーザが前記トレーニング機材ＩＤを有する前記トレーニング機材を使用してユーザの最大負荷を越えたトレーニングを開始しようとしている旨の第２のトレーニング開始メッセージを生成し、無線通信によって前記第２の携帯端末に向けて送信し、
前記第２の携帯端末は、無線通信によって前記第１の携帯端末からの前記第２のトレーニング開始メッセージを受信すると、前記第２のトレーニング開始メッセージを表示あるいは発声する、
ことを特徴とする請求項３に記載のトレーニングシステム。
【請求項５】
さらに、トレーニングエリアを識別するエリアＩＤを送信する通信装置を含み、
前記ＩＤは、前記通信装置が送信するエリアＩＤである、
ことを特徴とする請求項１に記載のトレーニングシステム。
【請求項６】
前記通信装置は、前記エリアＩＤを記憶する記憶部と、
前記第１の携帯端末と近距離無線によって通信する第１の近距離無線通信部とを含み、
前記第１の携帯端末は、前記通信装置と近距離無線によって通信する第２の近距離無線通信部と、
前記第１の携帯端末の動作制御を行う制御部と、
前記第２の携帯端末と無線通信を行う第１の無線通信部とを含み、
前記第２の携帯端末は、前記第１の携帯端末と無線通信を行う第２の無線通信部を含み、
前記第１の携帯端末の前記制御部は、近距離無線によって前記通信装置から前記エリアＩＤを受信すると、ユーザが前記通信装置が設置された前記トレーニングエリアでトレーニングを開始しようとしている旨の第３のトレーニング開始メッセージを生成し、無線通信によって前記第２の携帯端末に向けて送信し、
前記第２の携帯端末は、無線通信によって前記第１の携帯端末からの前記第３のトレーニング開始メッセージを受信すると、前記第３のトレーニング開始メッセージを表示あるいは発声する、
ことを特徴とする請求項５に記載のトレーニングシステム。
【請求項７】
前記第１の携帯端末は、さらに、エリアＩＤに対応する音楽ジャンルを示すテーブルを記憶するテーブル記憶部を含み、
前記第１の携帯端末の前記制御部は、近距離無線によって前記通信装置から前記エリアＩＤを受信すると、前記テーブルから前記エリアＩＤに対応する音楽ジャンルを選択し、前記音楽ジャンルに含まれる楽曲を前記第１の携帯端末に接続されるヘッドセットで再生させる、
ことを特徴とする請求項６に記載のトレーニングシステム。
【請求項８】
第１の携帯端末が、ＩＤを受信してトレーニング開始メッセージを生成し、前記トレーニング開始メッセージを送信し、
第２の携帯端末が、前記第１の携帯端末が送信する前記トレーニング開始メッセージを受信する、
ことを特徴とするトレーニング情報伝達方法。
【請求項９】
前記ＩＤは、トレーニング機材が送信するトレーニング機材ＩＤである、
ことを特徴とする請求項８に記載のトレーニング情報伝達方法。
【請求項１０】
前記第１の携帯端末は、前記トレーニング機材から前記トレーニング機材ＩＤを受信すると、ユーザが前記トレーニング機材ＩＤを有する前記トレーニング機材を使用してトレーニングを開始しようとしている旨の前記トレーニング開始メッセージを生成して前記第２の携帯端末に向けて送信し、
前記第２の携帯端末は、前記第１の携帯端末からの前記トレーニング開始メッセージを受信すると、前記トレーニング開始メッセージを表示あるいは発声する、
ことを特徴とする請求項９に記載のトレーニング情報伝達方法。
【請求項１１】
前記トレーニング機材は、さらに、前記トレーニング機材に設定された負荷を負荷コードとして記憶し、
前記第１の携帯端末は、トレーニング種目ごとのユーザの筋力に見合った最大負荷を示すテーブルを記憶し、
前記第１の携帯端末は、前記トレーニング機材から前記トレーニング機材ＩＤと前記負荷コードを受信すると、前記負荷コードと、前記テーブル内の前記トレーニング機材ＩＤに対応するトレーニング種目の最大負荷を比較し、前記負荷コードが前記最大負荷を越えている場合、ユーザが前記トレーニング機材ＩＤを有する前記トレーニング機材を使用してユーザの最大負荷を越えたトレーニングを開始しようとしている旨の第２のトレーニング開始メッセージを生成して前記第２の携帯端末に向けて送信し、
前記第２の携帯端末は、前記第１の携帯端末からの前記第２のトレーニング開始メッセージを受信すると、前記第２のトレーニング開始メッセージを表示あるいは発声する、
ことを特徴とする請求項１０に記載のトレーニング情報伝達方法。
【請求項１２】
前記ＩＤは、トレーニングエリアに設置された通信装置が送信するエリアＩＤである、
ことを特徴とする請求項８に記載のトレーニング情報伝達方法。
【請求項１３】
前記第１の携帯端末は、前記通信装置から前記エリアＩＤを受信すると、ユーザが前記通信装置が設置された前記トレーニングエリアでトレーニングを開始しようとしている旨の第３のトレーニング開始メッセージを生成して前記第２の携帯端末に向けて送信し、
前記第２の携帯端末は、前記第１の携帯端末からの前記第３のトレーニング開始メッセージを受信すると、前記第３のトレーニング開始メッセージを表示あるいは発声する、
ことを特徴とする請求項１２に記載のトレーニング情報伝達方法。
【請求項１４】
前記第１の携帯端末は、エリアＩＤに対応する音楽ジャンルを示すテーブルを記憶し、
前記第１の携帯端末は、前記通信装置から前記エリアＩＤを受信すると、前記テーブルから前記エリアＩＤに対応する音楽ジャンルを選択し、前記音楽ジャンルに含まれる楽曲を前記第１の携帯端末に接続されるヘッドセットで再生させる、
ことを特徴とする請求項１３に記載のトレーニング情報伝達方法。
【請求項１５】
ＩＤを受信してトレーニング開始メッセージを生成し、前記トレーニング開始メッセージを送信する手段を含む、
ことを特徴とする携帯端末。
【請求項１６】
前記ＩＤは、トレーニング機材が送信するトレーニング機材ＩＤである、
ことを特徴とする請求項１５に記載の携帯端末。
【請求項１７】
前記携帯端末は、前記トレーニング機材から前記トレーニング機材ＩＤを受信すると、ユーザが前記トレーニング機材ＩＤを有する前記トレーニング機材を使用してトレーニングを開始しようとしている旨の前記トレーニング開始メッセージを生成して送信する、
ことを特徴とする請求項１６に記載の携帯端末。
【請求項１８】
前記携帯端末は、トレーニング種目ごとのユーザの筋力に見合った最大負荷を示すテーブルを記憶し、
前記携帯端末は、前記トレーニング機材から前記トレーニング機材ＩＤと前記トレーニング機材に設定された負荷を示す負荷コードを受信すると、前記負荷コードと、前記テーブル内の前記トレーニング機材ＩＤに対応するトレーニング種目の最大負荷を比較し、前記負荷コードが前記最大負荷を越えている場合、ユーザが前記トレーニング機材ＩＤを有する前記トレーニング機材を使用してユーザの最大負荷を越えたトレーニングを開始しようとしている旨の第２のトレーニング開始メッセージを生成して送信する、
ことを特徴とする請求項１７に記載の携帯端末。
【請求項１９】
前記ＩＤは、トレーニングエリアに設置された通信装置が送信するエリアＩＤである、
ことを特徴とする請求項１５に記載の携帯端末。
【請求項２０】
前記携帯端末は、前記通信装置から前記エリアＩＤを受信すると、ユーザが前記通信装置が設置された前記トレーニングエリアでトレーニングを開始しようとしている旨の第３のトレーニング開始メッセージを生成して送信する、
ことを特徴とする請求項１９に記載の携帯端末。
【請求項２１】
前記携帯端末は、エリアＩＤに対応する音楽ジャンルを示すテーブルを記憶し、
前記携帯端末は、前記通信装置から前記エリアＩＤを受信すると、前記テーブルから前記エリアＩＤに対応する音楽ジャンルを選択し、前記音楽ジャンルに含まれる楽曲を前記携帯端末に接続されるヘッドセットで再生させる、
ことを特徴とする請求項２０に記載の携帯端末。
【発明の詳細な説明】
【技術分野】
【０００１】
本発明はトレーニングシステム、トレーニング情報伝達方法、及び、携帯端末に関し、特に、フィットネスクラブ等でのトレーニングを安全に行うことを可能とする、トレーニングシステム、トレーニング情報伝達方法、及び、携帯端末に関する。
【背景技術】
【０００２】
近年、健康の維持・増進や、生活習慣病予防などの気運が高まる中、体力の維持・増強、或いはシェイプアップなどを図るための設備を提供するフィットネスクラブやトレーニングジム等が普及してきている。そして、フィットネスクラブ内のトレーニング機材や管理設備の多様化、電子化なども急速に進展してきている。例えば、トレーニングジムにおけるトレーニング者のトレーニング情報などが、電子的に管理可能となってきている（例えば、特許文献１参照。）。
【０００３】
上述した特許文献１「ジムデータ管理システム及び携帯端末」には、以下のようなシステムが記載されている。
【０００４】
すなわち、トレーニングを行うユーザは、リストバンドの付いた携帯端末を、自身の手首に取り付け、トレーニングを行う。携帯端末は、トレーニング中のユーザの身体情報（脈拍、体温など）を測定し、測定データを、半導体メモリに記録する。また、ジム内端末では、半導体メモリに記録された情報を表示、加工し、加工したデータを記録する。そして、ジム内端末やトレーニングマシン、或いは、トレーニング中のユーザのフォームの撮影を行うカメラなどを、サーバに接続する。サーバは、トレーニングジム内を行き来する情報の記憶、及び、情報伝達の制御を行う。このことにより、トレーニングジムにおけるユーザのトレーニング情報の管理が容易になる、としている。
【０００５】
また、フィットネスクラブなどでは、多種多様なトレーニング機材を設置している。そして、トレーニング者は、目的とするトレーニングの内容により、適切なトレーニング機材を選択してトレーニングを行なうことが出来るようになっている。
【０００６】
トレーニング機材の中には、トレーニング者の身体能力に応じて、適切な負荷、或いは荷重を設定できるようになっているものがある。そのようなトレーニング機材として、有酸素運動に使用するエアロバイクや、筋力トレーニングに使用するチェストプレスマシンなどを、一例として挙げることができる。エアロバイクは、車輪のない自転車のような構造になっており、ペダルをこぐことにより、ペダリング運動が行える。そして、通常のエアロバイクでは、ペダルの重さ（負荷）をコントロールできるようになっている。チェストプレスマシンは、主に大胸筋、副次的に上腕三頭筋など上半身の広い範囲の筋力トレーニングに使用されるトレーニングマシンである。チェストプレスマシンの使用者は、自身の背中を椅子のシートに密着させ、シート前方にあるハンドルを握り、ハンドルを前方に押し出す動作を繰り返すようになっている。そして、マシンの錘、或いはプレートの数を増減することにより、ハンドルの負荷を設定できるようになっている。
【０００７】
通常、トレーニング機材の負荷は、トレーニング者が設定するようになっているが、負荷設定を自動的に行うことを提案する関連技術もある（例えば、特許文献２参照。）。
【０００８】
上述した特許文献２「トレーニングシステム」には、以下のようなシステムが記載されている。
【０００９】
すなわち、トレーニングセンターでは、トレーニング制御装置、データ収集装置、複数のエクササイズマシーン（すなわち、トレーニング機材）などをＬＡＮ（Ｌｏｃａｌ  Ａｒｅａ  Ｎｅｔｗｏｒｋ：ラン）で接続している。データ収集装置は、トレーニングセンターの会員のトレーニングデータとエクササイズメニューを格納している。トレーニング制御装置は、複数のエクササイズマシーンの制御を行う。そして、会員がトレーニングを開始しようとする際、トレーニング制御装置は、エクササイズメニューに従って、会員が使用するエクササイズマシーンに対し、マシーン調整データ（シートの高さ、負荷重量、など）を送信する。エクササイズマシーンは、マシーン調整データに従ってシートポジションやウェイトの設定を自動的に行う。そして、会員のエクササイズが開始される。このことにより、エクササイズマシーンの調整やエクササイズの進行を、トレーニング制御装置に任せられるので、トレーナは本来のトレーナ業務に専念できるようになる、としている。
【００１０】
フィットネスクラブ等で筋力トレーニングを行う場合には、通常、トレーニング者の筋力に見合った最大負荷をトレーニング機材に設定する。そして、フィットネスクラブのスタッフから、必要最低限の力でサポートしてもらうことにより、もっとも効果的なトレーニングとすることができる。
【００１１】
このようなトレーニング方法について、図１２を参照して説明する。
【００１２】
トレーニング者は、フィットネスクラブに行くと、トレーニングの種目を選択する（図１２のステップＳ１）。そしてトレーニング機材にプレート等を取り付け、トレーニング機材の負荷を設定する（ステップＳ２）。
【００１３】
トレーニング者は、トレーニング機材に設定した負荷が、トレーニング者の筋力に見合った最大負荷を越えているかを判定する（ステップＳ３）。トレーニング機材に設定した負荷がトレーニング者の最大負荷以上であれば（ステップＳ３でＹｅｓ）、トレーニング者はフィットネスクラブのトレーナ或いは指導員などのスタッフを呼ぶ（ステップＳ４）。これは、トレーニング者が、スタッフのサポート或いは指導のもとで、トレーニングを安全に、かつ、効果的に行うためである。そして、スタッフにサポートしてもらいながら、トレーニング者はトレーニングを行う（ステップＳ５）。
【００１４】
一方、トレーニング機材に設定した負荷がトレーニング者の最大負荷以上でなければ（ステップＳ３でＮｏ）、トレーニング中の危険性は少ないため、トレーニング者が単独でトレーニングを行う（ステップＳ６）。
【００１５】
上述したように、トレーニング中の安全性を確保するためには、スタッフの指導、サポートを得ることが重要であるが、フィットネスクラブなどのスタッフの数にも限りがある。従って、スタッフの指導、サポートが必要な場合であっても、スタッフの手が塞がっている場合には、トレーニング者は、スタッフの手が空くのを待つようになる。
【００１６】
そこで、インストラクターなどのスタッフに依存せずに、補助を必要とするマシンの利用を効率化して、安全なトレーニングを可能にしようとする関連技術もある（例えば、特許文献３参照。）。
【００１７】
上述した特許文献３「スポーツジム管理方法、プログラム及び装置」には、以下のような記載がなされている。
【００１８】
すなわち、サーバ装置は、受付端末からの利用申込情報を受信した際、利用者情報データベースに登録されている申込利用者のメニューから、補助必要マシンを利用するか否か判別する。ここでは、補助必要マシンとして、ベンチプレスマシンを例示している。補助必要マシンの利用申込を判別した際、サーバ装置は、同一マシンの利用待ちで、且つペアを組む相手が決まっていない利用者の中から、レベル及び体格が近いペア相手を選択する。そして、ペア組合せをペア相手の携帯端末に通知して表示させる。このことにより、エントリーしている利用者同士でペアを組ませて、補助を必要とするマシンの利用を許可することができる。従って、補助を必要とするマシンを単独で利用することで発生する事故を、未然に防ぐことができる、としている。
【００１９】
なお、ベンチプレスマシンは、ベンチ台があり、ベンチ台に付属するラック上にはバーベルが乗せてある。ベンチプレスマシンの使用者は、ベンチ台にあおむけに寝て、ラック上のバーベルを両手で外し、バーベルを胸まで下ろし、そのままバーベルを挙げる動作を繰返すようになっている。そして、バーベルの重さを変えることにより、使用者への負荷を変えることが可能となっている。
【００２０】
【特許文献１】特開２００４−２４８８２８号公報（第４−９頁、図１−９）
【特許文献２】特開２００２−３０６６３３号公報（第３−５頁、図１−７）
【特許文献３】特開２００５−３１６８２７号公報（第５−９頁、図１−１３）
【発明の開示】
【発明が解決しようとする課題】
【００２１】
以上述べたように、フィットネスクラブ等でトレーニングを行う場合、スタッフから直接指導、サポートを受けるか、或いは、少なくともスタッフに見守っていてもらうことにより、安全なトレーニングを行うことができる。
【００２２】
しかし、上述した関連する特許文献１のシステムは、トレーニング情報の電子化を行うものであるが、トレーニングスタッフに関連する記載はない。
【００２３】
また、特許文献２のシステムは、トレーニング機材の負荷設定を自動的に行うものであるが、スタッフの呼出しを行ったり、スタッフに対しトレーニングの開始を通知したりするようにはなっていない。
【００２４】
さらに、特許文献３では、ベンチプレスマシンなど補助を必要とするマシンを利用する際、利用者同士でペアを組ませることにより、安全にトレーニングが行える、としている。しかし、ペア相手に通知してペア相手が補助を行うことにより安全性を向上させようとするものであり、インストラクター等のスタッフにトレーニング開始などの通知を行うようにはなっていない。
【００２５】
本発明は、上述した課題を解決するためになされたものである。従って、本発明の目的は、フィットネスクラブ等でのトレーニングを安全に行うことを可能とする、トレーニングシステム、トレーニング情報伝達方法、及び、携帯端末を提供することにある。
【課題を解決するための手段】
【００２６】
本発明のトレーニングシステムは、ＩＤ（識別符号）を受信するとトレーニング開始メッセージを生成し、前記トレーニング開始メッセージを送信する第１の携帯端末と、前記第１の携帯端末が送信する前記トレーニング開始メッセージを受信する第２の携帯端末とを含んでいる。
【００２７】
本発明のトレーニング情報伝達方法は、第１の携帯端末が、ＩＤを受信してトレーニング開始メッセージを生成し、前記トレーニング開始メッセージを送信し、第２の携帯端末が、前記第１の携帯端末が送信する前記トレーニング開始メッセージを受信する、ようになっている。
【００２８】
本発明の携帯端末は、ＩＤを受信してトレーニング開始メッセージを生成し、前記トレーニング開始メッセージを送信する手段を含んでいる。
【発明の効果】
【００２９】
本発明によれば、フィットネスクラブなどのユーザは、安全にトレーニングを行うことが可能となる、という効果を奏する。
【発明を実施するための最良の形態】
【００３０】
次に、本発明の実施例について図面を参照して説明する。
【００３１】
図１は、本発明のトレーニングシステムの実施の形態を示すブロック図である。
【００３２】
図１に示すトレーニングシステムは、携帯端末１と携帯端末３とを含んでいる。
【００３３】
携帯端末１は、ＩＤ（ＩＤｅｎｔｉｆｉｅｒ：識別符号）を受信可能に構成されている。そして、携帯端末１は、ＩＤを受信すると、該ＩＤに対応して、何らかのトレーニングを開始する旨のトレーニング開始メッセージを生成する。携帯端末１は、生成したトレーニング開始メッセージを送信する。
【００３４】
携帯端末３は、携帯端末１が送信するトレーニング開始メッセージを受信するように構成されている。
【００３５】
図１の携帯端末１は、フィットネスクラブなどでトレーニングを行うトレーニング者であるところのユーザが用いる端末装置である。そして、ユーザは、携帯端末１を用いて、フィットネスクラブなどに設置されているトレーニング機材、或いは、トレーニングエリアと通信を行ない、それらの機材あるいはエリアのＩＤを受信する。携帯端末１は、ユーザが、該機材を用いたトレーニング、或いは、該エリアでのトレーニング、を開始する旨のトレーニング開始メッセージを生成する。そして、携帯端末１は、生成したトレーニング開始メッセージを、フィットネスクラブなどのスタッフが使用する携帯端末３に向けて送信する。携帯端末３は、トレーニング開始メッセージを受信する。このため、携帯端末３を使用するスタッフは、携帯端末１のユーザがトレーニングを開始しようとしていることを認識出来る。
【００３６】
従って、本実施の形態によれば、トレーニングを開始しようとするユーザの状態が、スタッフに伝達され、スタッフは該ユーザのトレーニングの状況を見守ることが可能となるため、ユーザは安全にトレーニングを行うことが可能となる。
【００３７】
次に、図１に示す実施の形態をさらに具体化した本発明の第１の実施例について説明する。
【００３８】
図２は、本発明のトレーニングシステムの第１の実施例を示すブロック図である。
【００３９】
図２に示す本実施例は、複数のトレーニング機材２０と、トレーニングを行うユーザが使用する携帯端末１０と、トレーナ或いは指導員などのスタッフが使用する携帯端末３０とを含んでいる。
【００４０】
トレーニング機材２０は、フィットネスクラブなどに設置されているトレーニングマシンであり、例えば、ベンチプレスマシン、チェストプレスマシン、エアロバイクなど、負荷を設定・変更可能なマシンも含むものとする。また、トレーニング機材２０は、例えば、バーベルやダンベルなど、負荷そのものも含むものとする。
【００４１】
そして、トレーニング機材２０は、近距離無線通信部２１と、制御部２２と、記憶部２３を含んでいる。
【００４２】
制御部２２は、図示しないＣＰＵ（Ｃｅｎｔｒａｌ  Ｐｒｏｃｅｓｓｉｎｇ  Ｕｎｉｔ：中央処理装置）を含んでおり、ＣＰＵが記憶部２３に記憶されているソフトウェアを実行することにより、トレーニング機材２０の動作制御を行う。
【００４３】
近距離無線通信部２１は、携帯端末１０との間で近距離無線を使用して通信を行い、携帯端末１０との間でデータの送受信を行う。なお、本実施例で使用する近距離無線の通信方式は、例えば、国際標準「ＩＳＯ／ＩＥＣ  ＩＳ  １８０９２」として承認されているＮＦＣ（Ｎｅａｒ  Ｆｉｅｌｄ  Ｃｏｍｍｕｎｉｃａｔｉｏｎ：近距離通信）を用いるものとする。ＮＦＣでの通信距離は１０ｃｍ前後である。或いは、近距離無線通信部２１は、ＩＣ（Ｉｎｔｅｇｒａｔｅｄ  Ｃｉｒｃｕｉｔ：集積回路）チップを使用して非接触通信を行うＲＦＩＤ（Ｒａｄｉｏ  Ｆｒｅｑｕｅｎｃｙ  ＩＤｅｎｔｉｆｉｃａｔｉｏｎ：アールエフアイディー）であってもよい。
【００４４】
そして、トレーニング機材２０の近距離無線通信部２１は、電源が無くても動作可能なパッシブ型であることが望ましい。パッシブ型の近距離無線通信においては、データなどの読み取りや書き込みを行うリーダ／ライタ側から照射される電波を利用して電力を得るようになっている。本実施例では、携帯端末１０がリーダ／ライタ側になることが可能となっている。
【００４５】
記憶部２３は、トレーニング機材２０の動作制御を行うためのソフトウェアや、トレーニング機材２０のトレーニング機材ＩＤを記憶している。そして、近距離無線通信部２１が携帯端末１０からの電波によって電力を得て制御部２２が動作を開始すると、制御部２２は記憶部２３のトレーニング機材ＩＤを読み出し、近距離無線通信部２１を介して、携帯端末１０に送出する。
【００４６】
携帯端末１０は、近距離無線通信部１１、制御部１２、記憶部１３、操作部１４、表示部１５、無線通信部１６、音声部１７を含んでいる。
【００４７】
制御部１２は、図示しないＣＰＵを含んでおり、ＣＰＵが記憶部１３に記憶されているソフトウェアを実行することにより、携帯端末１０の動作制御を行う。
【００４８】
近距離無線通信部１１は、トレーニング機材２０の近距離無線通信部２１との間で近距離無線を使用して通信を行い、トレーニング機材２０との間でデータの送受信を行う。近距離無線通信部１１は、トレーニング機材２０の近距離無線通信部２１と同じＮＦＣを用いるものとする。或いは、トレーニング機材２０の近距離無線通信部２１がＲＦＩＤである場合には、近距離無線通信部１１はＲＦＩＤのリーダ／ライタであるものとする。つまり、本実施例では、携帯端末１０が、近距離無線通信のリーダ／ライタ側になっている。
【００４９】
記憶部１３は、携帯端末１０の動作制御を行うためのソフトウェアを記憶している。
【００５０】
操作部１４は、テンキーや機能キーなどを備え、制御部１２に対し、動作指示の命令やデータなどの入力を行う。
【００５１】
表示部１５は、制御部１２が出力するデータなどの表示を行う。
【００５２】
無線通信部１６は、携帯端末３０との間で無線通信を行い、携帯端末３０との間でデータの送受信を行う。なお、本実施例の無線通信部１６の無線通信方式としては、例えば、無線ＬＡＮ（Ｌｏｃａｌ  Ａｒｅａ  Ｎｅｔｗｏｒｋ：ラン）を用いるものとする。或いは、無線通信部１６は、ブルートゥース（Ｂｌｕｅｔｏｏｔｈ）、ワイヤレスＵＳＢ（Ｕｎｉｖｅｒｓａｌ  Ｓｅｒｉａｌ  Ｂｕｓ）、などの何れかを用いるものであってもよい。
【００５３】
音声部１７は、音声の入力を行うためのマイクや、音声を出力するスピーカなどを含み、音声の入出力を行う。
【００５４】
携帯端末３０は、制御部３２、記憶部３３、操作部３４、表示部３５、無線通信部３６、音声部３７を含んでいる。
【００５５】
制御部３２は、図示しないＣＰＵを含んでおり、ＣＰＵが記憶部３３に記憶されているソフトウェアを実行することにより、携帯端末３０の動作制御を行う。
【００５６】
記憶部３３は、携帯端末３０の動作制御を行うためのソフトウェアを記憶している。
【００５７】
操作部３４は、テンキーや機能キーなどを備え、制御部３２に対し、動作指示の命令やデータなどの入力を行う。
【００５８】
表示部３５は、制御部３２が出力するデータなどの表示を行う。
【００５９】
無線通信部３６は、携帯端末１０の無線通信部１６との間で無線通信を行い、携帯端末１０との間でデータの送受信を行う。無線通信部３６は、携帯端末１０の無線通信部１６と同じ無線ＬＡＮを用いるものとする。或いは、携帯端末１０の無線通信部１６がブルートゥースである場合には、無線通信部３６もブルートゥースであるものとする。また、携帯端末１０の無線通信部１６がワイヤレスＵＳＢである場合には、無線通信部３６もワイヤレスＵＳＢであるものとする。
【００６０】
音声部３７は、音声の入力を行うためのマイクや、音声を出力するスピーカなどを含み、音声の入出力を行う。
【００６１】
次に、図３を参照して、第１の実施例の動作について説明する。
【００６２】
図３は、第１の実施例の動作を説明するフローチャートである。
【００６３】
フィットネスクラブなどでトレーニングを行うユーザ（すなわち、トレーニング者）は、トレーニングの種目を選択する（図３のステップＳ１１）。そして、該トレーニングの種目に適したトレーニング機材２０を選択する（ステップＳ１２）。
【００６４】
次に、ユーザは、携帯端末１０の近距離無線通信部１１をトレーニング機材２０の近距離無線通信部２１に近づける。そして、ユーザは携帯端末１０の操作部１４を操作し、トレーニング機材２０が記憶部２３に記憶しているトレーニング機材ＩＤを読み取るための読取命令を、入力する。携帯端末１０の制御部１２は、トレーニング機材ＩＤを読み取るための読取命令を操作部１４から受け取ると、近距離無線通信部１１を動作させ、トレーニング機材２０の近距離無線通信部２１に対し、読取命令を電波で送信する。
【００６５】
トレーニング機材２０の近距離無線通信部２１が携帯端末１０の近距離無線通信部１１から電波を受信すると、該電波によって電力を得、トレーニング機材２０の制御部２２が動作を開始する。制御部２２は、近距離無線通信部２１が受信した電波に、読取命令が有ることを認識すると、記憶部２３からトレーニング機材２０のトレーニング機材ＩＤを取得する。そして、制御部２２は、取得したトレーニング機材ＩＤを、近距離無線通信部２１を介して、携帯端末１０の近距離無線通信部１１に返送する。
【００６６】
携帯端末１０の近距離無線通信部１１は、トレーニング機材２０から返送されたトレーニング機材ＩＤを、制御部１２に送出する（ステップＳ１３）。
【００６７】
携帯端末１０の制御部１２は、トレーニング機材ＩＤを取得すると、該トレーニング機材ＩＤを有するトレーニング機材２０を使用して、ユーザがトレーニングを開始しようとしている旨のトレーニング開始メッセージを生成する。そして、制御部１２は、該メッセージを、無線通信部１６を介して、フィットネスクラブなどのスタッフが有する携帯端末３０に対して送信する（ステップＳ１４）。このとき制御部１２は、該メッセージを携帯端末１０の表示部１５に表示するようにしてもよいし、或いは、音声部１７に音声で出力するようにしてもよい。
【００６８】
携帯端末３０の制御部３２は、無線通信部３６を介して、携帯端末１０が送信したトレーニング開始メッセージを受信する。そして、制御部３２は、該メッセージを表示部３５に表示する（ステップＳ１５）。或いは、制御部３２は、該メッセージを音声部３７に音声で出力する。
【００６９】
該メッセージを参照した或いは音声で聞いたスタッフは、ユーザがトレーニング機材２０を使用してトレーニングを開始しようとしていることを認識可能となる。
【００７０】
そこで、スタッフは、ユーザのトレーニング状況を把握し、注意して見守るようにする（ステップＳ１６）。或いは、スタッフは、ユーザのトレーニングを直接指導、或いは、サポートするようにしてもよい。
【００７１】
なお、上述した本実施例は、以下のように変更することも可能である。
【００７２】
先ず、図２に示したトレーニング機材２０の近距離無線通信部２１は、電源を必要としないパッシブ型の近距離無線（ＮＦＣ、など）の方式を使用するものとしていたが、これを、電源を必要とするアクティブ型の近距離無線に変更することが可能である。トレーニング機材２０の近距離無線通信部２１がアクティブ型の近距離無線を行うものである場合、本実施例の説明中で例示した、ＮＦＣ、ＲＦＩＤ、の他に、ＩｒＤＡ（Ｉｎｆｒａｒｅｄ  Ｄａｔａ  Ａｓｓｏｃｉａｔｉｏｎ）も使用可能となる。ＩｒＤＡでは、赤外線を利用して近距離のデータ通信を行うことが可能となっている。
【００７３】
また、図２に示した携帯端末１０と携帯端末３０の間の無線通信方式として、無線ＬＡＮを例示していた。
【００７４】
無線ＬＡＮを利用する端末は、無線ＬＡＮカードを搭載しており、無線ＬＡＮカード同士が直接通信を行うことが可能であるが、ベースステーションと呼ばれる中継機器を介して通信を行うことも可能である。
【００７５】
上述した本実施例の説明においては、携帯端末１０と携帯端末３０は、直接通信を行うようにしていたが、これを、ベースステーションを介して行うように変更することが可能である。
【００７６】
更に、携帯端末１０と携帯端末３０が、ベースステーションを介して通信を行うようにした場合、該ベースステーションにサーバ装置を接続するようにしてもよい。そして、このサーバ装置は、フィットネスクラブなどに複数のスタッフがいる場合、全てのスタッフの携帯端末３０に対して、ユーザがトレーニングを開始しようとしている旨のトレーニング開始メッセージを、送信するようにする。
【００７７】
このようにすることにより、トレーニングを開始しようとしているユーザの近くのスタッフが、ユーザのトレーニングの状況を把握するようにすることが可能となる。従って、フィットネスクラブなどの管理運営を、限られたスタッフ数の中でより効率的に行うことが可能となる。
【００７８】
以上、本発明のトレーニングシステムの第１の実施例について説明した。
【００７９】
本実施例のトレーニングシステムは、トレーニング機材（トレーニング機材２０）と、ユーザが用いる第１の携帯端末（携帯端末１０）と、スタッフが用いる第２の携帯端末（携帯端末３０）を含んでいる。
【００８０】
そして、トレーニング機材は、トレーニング機材ＩＤを記憶する記憶部と、第１の携帯端末と近距離無線によって通信する第１の近距離無線通信部とを含んでいる。
【００８１】
第１の携帯端末は、トレーニング機材と近距離無線によって通信する第２の近距離無線通信部と、第１の携帯端末の動作制御を行う制御部と、第２の携帯端末と無線通信を行う第１の無線通信部とを含んでいる。
【００８２】
第２の携帯端末は、第１の携帯端末と無線通信を行う第２の無線通信部を含んでいる。
【００８３】
このような構成のもと、第１の携帯端末の制御部は、近距離無線によってトレーニング機材からトレーニング機材ＩＤを受信する。そして、ユーザが、トレーニング機材ＩＤを有するトレーニング機材を使用してトレーニングを開始しようとしている旨のトレーニング開始メッセージを生成し、無線通信によって第２の携帯端末に向けて送信する。
【００８４】
第２の携帯端末は、無線通信によって第１の携帯端末からのトレーニング開始メッセージを受信すると、このトレーニング開始メッセージを表示あるいは発声する。
【００８５】
このことにより、フィットネスクラブなどのスタッフは、ユーザがトレーニング機材を使用したトレーニングを開始しようとしていることを認識でき、当該ユーザのトレーニング状況を把握し、注意して見守ることが可能となる。
【００８６】
従って、ユーザは、安全にトレーニングを行うことが可能となる、という効果を奏する。
【００８７】
次に、図４、図５、図６を参照して、本発明のトレーニングシステムの第２の実施例について説明する。
【００８８】
図４は、本発明のトレーニングシステムの第２の実施例を示すブロック図である。
【００８９】
図４に示す第２の実施例は、複数のトレーニング機材２０−１と、トレーニングを行うユーザが使用する携帯端末１０−１と、トレーナ或いは指導員などのスタッフが使用する携帯端末３０とを含んでいる。
【００９０】
図４に示す第２の実施例は、図２に示した第１の実施例とは、以下の点でのみ異なるものである。
【００９１】
すなわち、第２の実施例におけるトレーニング機材２０−１は、トレーニング機材ＩＤに加えて、トレーニング機材２０−１に設定された負荷（或いは、荷重）を記憶可能に構成されている。そして、ユーザの携帯端末１０−１は、トレーニング機材２０−１から、トレーニング機材ＩＤと、トレーニング機材２０−１に設定された負荷の情報（以降、負荷コード、と称することとする）を読み取る。ユーザの携帯端末１０−１は、トレーニング機材２０−１から読み取った負荷コードが、ユーザの筋力に見合った最大負荷を超えている場合、スタッフの携帯端末３０に対し、トレーニング開始メッセージを送信する、という点である。そこで、図４において図２に示す構成要素に対応するものは同一の参照数字または符号を付し、その説明を省略するものとする。
【００９２】
トレーニング機材２０−１は、フィットネスクラブなどに設置されているトレーニングマシンであり、例えば、ベンチプレスマシン、チェストプレスマシン、エアロバイクなど、負荷を設定・変更可能なマシンである。また、トレーニング機材２０−１は、例えば、バーベルやダンベルなど、負荷そのものであってもよい。
【００９３】
そして、トレーニング機材２０−１は、近距離無線通信部２１と、制御部２２−１と、記憶部２３−１と、負荷センサ２９とを含んでいる。
【００９４】
制御部２２−１は、図示しないＣＰＵを含んでおり、ＣＰＵが記憶部２３−１に記憶されているソフトウェアを実行することにより、トレーニング機材２０−１の動作制御を行う。
【００９５】
近距離無線通信部２１は、第１の実施例と同一であるため、その説明を省略する。
【００９６】
記憶部２３−１は、トレーニング機材２０−１の動作制御を行うためのソフトウェアや、トレーニング機材２０−１のトレーニング機材ＩＤを記憶している。また、記憶部２３−１は、トレーニング機材２０−１に設定された負荷を負荷コードとして記憶するようになっている。そして、制御部２２−１が動作を開始すると、制御部２２−１は記憶部２３−１のトレーニング機材ＩＤと負荷コードを読み出し、近距離無線通信部２１を介して、携帯端末１０−１に送出する。
【００９７】
負荷センサ２９は、トレーニング機材２０−１に取り付けられた錘やプレートなどの重さを検出し、検出した重さを負荷コードとして制御部２２−１に送出する。トレーニング機材２０−１が、例えば、チェストプレスマシンであれば、マシンに取り付けられた複数のプレートの総重量を検出する。トレーニング機材２０−１が、例えば、ベンチプレスマシンであれば、ベンチ台に付属するラック上に載せられたバーベルの重量を検出する。トレーニング機材２０−１が、例えば、エアロバイクであれば、エアロバイクに設定されたペダルの重さ（負荷）を検出する。
【００９８】
なお、トレーニング機材２０−１が、例えば、重さの調整ができない固体タイプのダンベルなどである場合には、負荷センサ２９は不要である。この場合、トレーニング機材２０−１の記憶部２３−１には、予め当該トレーニング機材２０−１の重さを、負荷コードとして記憶させておけばよい。
【００９９】
携帯端末１０−１は、近距離無線通信部１１、制御部１２−１、記憶部１３−１、操作部１４、表示部１５、無線通信部１６、音声部１７を含んでいる。
【０１００】
制御部１２−１は、図示しないＣＰＵを含んでおり、ＣＰＵが記憶部１３−１に記憶されているソフトウェアを実行することにより、携帯端末１０−１の動作制御を行う。
【０１０１】
近距離無線通信部１１は、第１の実施例と同一であるため、その説明を省略する。
【０１０２】
記憶部１３−１は、携帯端末１０−１の動作制御を行うためのソフトウェアを記憶している。また、記憶部１３−１は、携帯端末１０−１を使用するユーザの筋力に見合った最大負荷を示すところの、最大負荷テーブルを記憶している。
【０１０３】
操作部１４、表示部１５、無線通信部１６、音声部１７は、第１の実施例と同一であるため、その説明を省略する。
【０１０４】
次に、図５を参照して、携帯端末１０−１の記憶部１３−１に記憶されている最大負荷テーブルについて説明する。
【０１０５】
図５は、最大負荷テーブルの一例を示す図である。
【０１０６】
図５に示す最大負荷テーブル５０は、５１行に示すように、トレーニング種目５０−１の列と、トレーニング種目５０−１ごとの最大負荷５０−２の列とを備えている。
【０１０７】
例えば、５２行に示すように、トレーニング種目「チェストプレス」に対する最大負荷は６０ｋｇである。つまり、チェストプレスマシンを使用してトレーニングを行う場合、トレーニング者であるユーザの筋力に見合った最大負荷は、６０ｋｇであることを示している。
【０１０８】
同様に、５３行に示すように、ベンチプレスマシンを使用したトレーニングを行う場合、ユーザの最大負荷は１００ｋｇであることを示している。
【０１０９】
なお、５４行に示すダンベルプレスとは、ダンベルを両手それぞれに持ち、そのダンベルを上下に上げ下げして、大胸筋や三角筋前部上腕三頭筋などを鍛えることを目的とするダンベルトレーニングである。
【０１１０】
また、５５行に示すダンベルプルオーバーとは、ダンベルトレーニングの一種目であり、ベンチ等に対して腕が垂直になるように仰向けになり、両手で持ったダンベルを、肘を曲げないように体に対して水平くらいになる位置まで下げていく。そして、ダンベルを元の位置、すなわち、体の上方に戻す。この動作を繰り返してトレーニングを行うトレーニング種目である。
【０１１１】
５６行に示すサイドレイズとは、両手にダンベルを持ち、体の横にぶら下げて立つ。そして、肘を少しだけ曲げて、弧を描くように両腕を横に広げ、ダンベルを肩より少し上まで挙げて元に戻すトレーニングである。
【０１１２】
５７行に示すスクワットとは、バーベルを肩に担ぎ、そのまま腰を引いて屈んでいく。そして、大腿が床と水平になるぐらいまで屈んだら、一拍おいてから下半身で上半身を押し上げるように立ち上がる、という動作を繰り返すトレーニングである。
【０１１３】
５８行に示すエアロバイクでは、発電式ブレーキを負荷装置としている場合を例示しており、その最大負荷を７０Ｗとしている。
【０１１４】
なお、トレーニング種目としては、上記以外にも各種のものがあるが、それらの説明は省略する。
【０１１５】
以上説明した最大負荷テーブル５０には、携帯端末１０−１を使用するユーザが行うトレーニング種目についてだけ、トレーニング種目と最大負荷を予め登録しておくものとする。
【０１１６】
次に、図６を参照して、第２の実施例の動作について説明する。
【０１１７】
図６は、第２の実施例の動作を説明するフローチャートである。
【０１１８】
フィットネスクラブなどでトレーニングを行うユーザは、トレーニングの種目を選択する（図６のステップＳ２１）。そして、該トレーニングの種目に適したトレーニング機材２０−１を選択し、そのトレーニング機材２０−１に負荷を設定する（ステップＳ２２）。
【０１１９】
選択したトレーニング機材２０−１が、例えば、チェストプレスマシンであれば、該マシンに取り付けるプレートの数を増減することにより負荷を設定する。選択したトレーニング機材２０−１が、例えば、エアロバイクであれば、ペダルの重さの調整ダイヤルなどを操作することにより負荷を設定する。なお、選択したトレーニング機材２０−１が、重さの調整ができないタイプのダンベルなどである場合には、ユーザが負荷を設定する動作は行われない。
【０１２０】
次に、ユーザは、携帯端末１０−１の近距離無線通信部１１をトレーニング機材２０−１の近距離無線通信部２１に近づける。そして、ユーザは携帯端末１０−１の操作部１４を操作し、トレーニング機材２０−１が記憶部２３−１に記憶しているトレーニング機材ＩＤと負荷コードを読み取るための読取命令を、入力する。携帯端末１０−１の制御部１２−１は、トレーニング機材ＩＤと負荷コードを読み取るための読取命令を操作部１４から受け取ると、近距離無線通信部１１を動作させ、トレーニング機材２０−１の近距離無線通信部２１に対し、読取命令を電波で送信する。
【０１２１】
トレーニング機材２０−１の近距離無線通信部２１が携帯端末１０−１の近距離無線通信部１１から電波を受信すると、該電波によって電力を得、トレーニング機材２０−１の制御部２２−１が動作を開始する。制御部２２−１は、近距離無線通信部２１が受信した電波に、読取命令が有ることを認識すると、先ず、負荷センサ２９からトレーニング機材２０−１に設定された負荷を負荷コードとして読み取り、これを記憶部２３−１に記憶させる。次に、制御部２２−１は、記憶部２３−１からトレーニング機材２０−１のトレーニング機材ＩＤと負荷コードを取得する。そして、制御部２２−１は、取得したトレーニング機材ＩＤと負荷コードを、近距離無線通信部２１を介して、携帯端末１０−１の近距離無線通信部１１に返送する。
【０１２２】
携帯端末１０−１の近距離無線通信部１１は、トレーニング機材２０−１から返送されたトレーニング機材ＩＤと負荷コードを、制御部１２−１に送出する（ステップＳ２３）。
【０１２３】
携帯端末１０−１の制御部１２−１は、トレーニング機材ＩＤと負荷コードを取得すると、記憶部１３−１に記憶されている最大負荷テーブル５０との比較動作を行う（ステップＳ２４）。
【０１２４】
具体的には、制御部１２−１は、トレーニング機材ＩＤに該当するトレーニング種目（図５の５０−１列）を検出する。例えば、トレーニング機材ＩＤが「チェストプレスマシン」であることを示している場合、トレーニング種目はチェストプレス（図５の５２行）であると認識する。そして、そのトレーニング種目（チェストプレス）に対応する最大負荷（図５の５０−２列）と負荷コードとを比較する。図５の５２行では、トレーニング種目（チェストプレス）に対応する最大負荷は、６０ｋｇ、であることを示している。
【０１２５】
そして、制御部１２−１は、検出したトレーニング種目の最大負荷と、トレーニング機材２０−１から取得した負荷コードとの比較を行う（ステップＳ２５）。
【０１２６】
負荷コードが最大負荷を越えている場合（ステップＳ２５でＹｅｓ）、例えば、負荷コードが６２ｋｇで、最大負荷が６０ｋｇのトレーニング種目「チェストプレス」である場合、制御部１２−１は次のように動作する。すなわち、制御部１２−１は、ユーザが該トレーニング機材ＩＤを有するトレーニング機材２０−１を使用して、かつ、ユーザの最大負荷を越えた負荷を設定してトレーニングを開始しようとしている旨のトレーニング開始メッセージを生成する。そして、制御部１２−１は、該メッセージを、無線通信部１６を介して、フィットネスクラブなどのスタッフが有する携帯端末３０に向けて送信する（ステップＳ２６）。このとき制御部１２−１は、該メッセージを携帯端末１０−１の表示部１５に表示するようにしてもよいし、或いは、音声部１７に音声で出力するようにしてもよい。
【０１２７】
携帯端末３０の制御部３２は、無線通信部３６を介して、携帯端末１０−１が送信したトレーニング開始メッセージを受信する。そして、制御部３２は、該メッセージを表示部３５に表示する（ステップＳ２７）。或いは、制御部３２は、該メッセージを音声部３７に音声で出力する。
【０１２８】
該メッセージを参照した或いは音声で聞いたスタッフは、ユーザがトレーニング機材２０−１を使用して、かつ、ユーザの最大負荷を越えた負荷を設定して、トレーニングを開始しようとしていることを認識する。そして、スタッフは、トレーニング機材２０−１を使用しているユーザのサポートを行う（ステップＳ２８）。或いは、スタッフは、トレーニング機材２０−１を使用しているユーザのトレーニング状況を注意深く見守り、サポートが必要になったと判断した場合に、すぐに駆けつけてサポートを行うようにしてもよい。
【０１２９】
なお、ステップＳ２５での比較において、負荷コードが最大負荷を越えていない場合には（ステップＳ２５でＮｏ）、携帯端末１０−１の制御部１２−１は、その動作を終了する。
【０１３０】
上述した第２の実施例においても、第１の実施例と同様の変更を行うことが可能である。
【０１３１】
すなわち、図４に示したトレーニング機材２０−１の近距離無線通信部２１を、電源を必要とするアクティブ型の近距離無線に変更することが可能である。この場合、近距離無線の通信として、ＮＦＣ、ＲＦＩＤ、の他に、ＩｒＤＡも使用することが可能となる。
【０１３２】
また、図４に示した携帯端末１０−１と携帯端末３０の間の無線ＬＡＮによる通信を、ベースステーションを介して行うようにすることも可能である。
【０１３３】
更に、携帯端末１０−１と携帯端末３０が、ベースステーションを介して通信を行うようにした場合、該ベースステーションにサーバ装置を接続するようにしてもよい。このサーバ装置は、フィットネスクラブなどの全てのスタッフの携帯端末３０に対して、ユーザがトレーニングを開始しようとしている旨のトレーニング開始メッセージを、送信するようにする。そして、ユーザの近くのスタッフが、ユーザのサポートを行うようにする。
【０１３４】
また、上述した第２の実施例は、以下のように変更してもよい。
【０１３５】
すなわち、図４に示したトレーニング機材２０−１の負荷センサ２９を、バーコードリーダに変更する。そして、トレーニング機材２０−１に取り付けられる錘やプレートには、それぞれの重さを示すバーコードを付しておく。バーコードリーダは、錘やプレートに付されたバーコードを読み取ることにより、トレーニング機材２０−１に取り付けられた負荷を検出し、総負荷を負荷コードとして制御部２２−１に送出するようにする。
【０１３６】
このような変更を行うことにより、図４に示したトレーニング機材２０−１の負荷センサ２９と同様に、トレーニング機材２０−１に取り付けられた負荷を検出することが可能となる。
【０１３７】
以上、本発明のトレーニングシステムの第２の実施例について説明した。
【０１３８】
本実施例のトレーニングシステムは、トレーニング機材（トレーニング機材２０−１）と、ユーザが用いる第１の携帯端末（携帯端末１０−１）と、スタッフが用いる第２の携帯端末（携帯端末３０）を含んでいる。
【０１３９】
そして、トレーニング機材の記憶部は、第１の実施例に加え、さらに、トレーニング機材に設定された負荷を負荷コードとして記憶するようになっている。
【０１４０】
また、第１の携帯端末は、第１の実施例に加え、さらに、トレーニング種目ごとのユーザの筋力に見合った最大負荷を示すテーブルを記憶するテーブル記憶部を含んでいる。
【０１４１】
このような構成のもと、第１の携帯端末の制御部は、近距離無線によってトレーニング機材からトレーニング機材ＩＤと負荷コードを受信する。そして、第１の携帯端末の制御部は、負荷コードと、テーブル内のトレーニング機材ＩＤに対応するトレーニング種目の最大負荷を比較する。負荷コードが最大負荷を越えている場合、第１の携帯端末の制御部は、ユーザが前記トレーニング機材ＩＤを有する前記トレーニング機材を使用してユーザの最大負荷を越えたトレーニングを開始しようとしている旨の第２のトレーニング開始メッセージを生成する。そしてこの第２のトレーニング開始メッセージを、無線通信によって第２の携帯端末に向けて送信する。
【０１４２】
第２の携帯端末は、無線通信によって第１の携帯端末からの第２のトレーニング開始メッセージを受信すると、この第２のトレーニング開始メッセージを表示あるいは発声する。
【０１４３】
このことにより、フィットネスクラブなどのユーザは、自己の最大負荷を越えた負荷を設定したトレーニング機材を使用してトレーニングを行おうとする場合に、口頭でなく自動的にスタッフに連絡することが可能となる。フィットネスクラブなどのスタッフは、ユーザが、最大負荷を越えた負荷を設定したトレーニング機材を使用して、トレーニングを開始しようとしていることを認識できる。そこで、スタッフは、当該ユーザのサポートを行うことが可能となる。或いは、スタッフは、当該ユーザのトレーニング状況を注意深く見守り、サポートが必要になったと判断した場合に、すぐに駆けつけてサポートを行うことも可能となる。
【０１４４】
例えば、ユーザが、ベンチプレスマシンに、ユーザ自身の最大負荷（例えば、１００ｋｇ）を越えた負荷（例えば、１０５ｋｇ）を設定してトレーニングを開始した場合、ユーザがベンチプレスマシンのバーベルを持ち上げられない状況が発生したとする。このときスタッフは、ユーザがバーベルを持ち上げられる必要最低限の力でサポートする。このようなサポートを受けることにより、ユーザのトレーニングが最も効果的に行われる。
【０１４５】
従って、ユーザは、より一層安全に、かつ効果的なトレーニングを行うことが可能となる、という効果を奏する。
【０１４６】
次に、図７、図８を参照して、本発明のトレーニングシステムの第３の実施例について説明する。
【０１４７】
図７は、本発明のトレーニングシステムの第３の実施例を示すブロック図である。
【０１４８】
図７に示す第３の実施例は、複数のトレーニングエリア９０と、トレーニングを行うユーザが使用する携帯端末１０−２と、トレーナ或いは指導員などのスタッフが使用する携帯端末３０とを含んでいる。そして、トレーニングエリア９０の内部あるいはその付近には、当該トレーニングエリア９０に特有のエリアＩＤを送信する通信装置４０が設置されている。
【０１４９】
図７に示す第３の実施例は、図２に示した第１の実施例とは、以下の点でのみ異なるものである。
【０１５０】
すなわち、トレーニングを行うユーザが使用する携帯端末１０−２は、トレーニングエリア９０の通信装置４０から、トレーニングエリア９０のエリアＩＤを読み取る。携帯端末１０−２は、当該エリアＩＤを有するトレーニングエリア９０で、ユーザがトレーニングを開始しようとしている旨のトレーニング開始メッセージを生成する。そして、携帯端末１０−２は、スタッフの携帯端末３０に対し、トレーニング開始メッセージを送信する、という点でのみ異なっている。そこで、図７において図２に示す構成要素に対応するものは同一の参照数字または符号を付し、その説明を省略するものとする。
【０１５１】
なお、第３の実施例におけるトレーニングエリア９０は、フィットネスクラブなどにおけるトレーニング用のエリアであり、例えば、マシントレーニングエリア、フリーウエイトエリア、スタジオ、ストレッチエリア、などを示すものである。
【０１５２】
マシントレーニングエリアとは、各種のトレーニングマシンが設置してあり、そのトレーニングマシンを使用して、ユーザがトレーニングを行えるようになっているエリアである。
【０１５３】
フリーウエイトエリアとは、バーベルやダンベルなど、トレーニングを行うユーザが自由に動かせるということで名付けられたフリーウエイトを使用して、トレーニング出来るようになっているエリアである。
【０１５４】
スタジオとは、通常、トレーナなどのスタッフの指導のもとで、ユーザが各種のトレーニングプログラムに沿ったトレーニングを行うエリアである。トレーニングプログラムはスタジオプログラムと称される場合もあるが、バランス力アップ、筋力アップ、柔軟性アップ、などのトレーニングを行うためのプログラムである。
【０１５５】
ストレッチエリアとは、所謂ストレッチ体操を行うためのエリアである。ストレッチでは、体の各部の筋肉などを伸ばすことにより、体の血行をよくするようにするため、肩こりや疲労回復などにも効果がある、とされている。
【０１５６】
図７に示すトレーニングエリア９０の通信装置４０は、近距離無線通信部４１と、制御部４２と、記憶部４３を含んでいる。なお、通信装置４０は、１つのＩＣチップなどで構成され、トレーニングエリア９０の内部あるいはその付近に設置されている。
【０１５７】
また、各トレーニングエリア９０の通信装置４０は、他のトレーニングエリア９０の通信装置４０と、ＬＡＮで相互に接続されていてもよい。或いは、通信装置４０は、各トレーニングエリア９０に単独で設置されていてもよい。
【０１５８】
通信装置４０の近距離無線通信部４１は、図２に示した第１の実施例におけるトレーニング機材２０の近距離無線通信部２１と同一である。
【０１５９】
すなわち、近距離無線通信部４１は、携帯端末１０−２との間で近距離無線を使用して通信を行い、携帯端末１０−２との間でデータの送受信を行う。なお、本実施例で使用する近距離無線としては、第１の実施例と同様であり、ＮＦＣを使用するものとする。或いは、近距離無線通信部４１はＲＦＩＤであってもよい。
【０１６０】
制御部４２は、図示しないＣＰＵを含んでおり、ＣＰＵが記憶部４３に記憶されているソフトウェアを実行することにより、携帯端末１０−２との間のデータ送受信動作を行う。
【０１６１】
記憶部４３は、制御部４２の動作制御を行うためのソフトウェアや、トレーニングエリア９０のエリアＩＤを記憶している。そして、近距離無線通信部４１が携帯端末１０−２からの電波によって電力を得て制御部４２が動作を開始すると、制御部４２は記憶部４３のエリアＩＤを読み出し、近距離無線通信部４１を介して、携帯端末１０−２に送出する。
【０１６２】
携帯端末１０−２は、近距離無線通信部１１、制御部１２−２、記憶部１３−２、操作部１４、表示部１５、無線通信部１６、音声部１７を含んでいる。
【０１６３】
制御部１２−２は、図示しないＣＰＵを含んでおり、ＣＰＵが記憶部１３−２に記憶されているソフトウェアを実行することにより、携帯端末１０−２の動作制御を行う。
【０１６４】
近距離無線通信部１１は、第１の実施例と同一であるため、その説明を省略する。
【０１６５】
記憶部１３−２は、携帯端末１０−２の動作制御を行うためのソフトウェアを記憶している。
【０１６６】
操作部１４、表示部１５、無線通信部１６、音声部１７は、第１の実施例と同一であるため、その説明を省略する。
【０１６７】
携帯端末３０は、第１の実施例と同一であるため、その説明を省略する。
【０１６８】
次に、図８を参照して、第３の実施例の動作について説明する。
【０１６９】
図８は、第３の実施例の動作を説明するフローチャートである。
【０１７０】
フィットネスクラブなどでトレーニングを行うユーザ（すなわち、トレーニング者）は、トレーニングを行うトレーニングエリア９０を選択する（図８のステップＳ３１）。
【０１７１】
次に、ユーザは、携帯端末１０−２の近距離無線通信部１１を、トレーニングエリア９０の通信装置４０の近距離無線通信部４１に近づける。そして、ユーザは携帯端末１０−２の操作部１４を操作し、通信装置４０が記憶部４３に記憶しているエリアＩＤを読み取るための読取命令を、入力する。携帯端末１０−２の制御部１２−２は、エリアＩＤを読み取るための読取命令を操作部１４から受け取ると、近距離無線通信部１１を動作させ、通信装置４０の近距離無線通信部４１に対し、読取命令を電波で送信する。
【０１７２】
通信装置４０の近距離無線通信部４１が携帯端末１０−２の近距離無線通信部１１から電波を受信すると、該電波によって電力を得、通信装置４０の制御部４２が動作を開始する。制御部４２は、近距離無線通信部４１が受信した電波に、読取命令が有ることを認識すると、記憶部４３からトレーニングエリア９０のエリアＩＤを取得する。そして、制御部４２は、取得したエリアＩＤを、近距離無線通信部４１を介して、携帯端末１０−２の近距離無線通信部１１に返送する。
【０１７３】
携帯端末１０−２の近距離無線通信部１１は、通信装置４０から返送されたエリアＩＤを、制御部１２−２に送出する（ステップＳ３２）。
【０１７４】
携帯端末１０−２の制御部１２−２は、エリアＩＤを取得すると、該エリアＩＤを有するトレーニングエリア９０で、ユーザがトレーニングを開始しようとしている旨のトレーニング開始メッセージを生成する。そして、制御部１２−２は、該メッセージを、無線通信部１６を介して、フィットネスクラブなどのスタッフが有する携帯端末３０に対して送信する（ステップＳ３３）。このとき制御部１２−２は、該メッセージを携帯端末１０−２の表示部１５に表示するようにしてもよいし、或いは、音声部１７に音声で出力するようにしてもよい。
【０１７５】
携帯端末３０の制御部３２は、無線通信部３６を介して、携帯端末１０−２が送信したトレーニング開始メッセージを受信する。そして、制御部３２は、該メッセージを表示部３５に表示する（ステップＳ３４）。或いは、制御部３２は、該メッセージを音声部３７に音声で出力する。
【０１７６】
該メッセージを参照した或いは音声で聞いたスタッフは、ユーザがトレーニングエリア９０でトレーニングを開始しようとしていることを認識可能となる。
【０１７７】
そこで、スタッフは、ユーザのトレーニング状況を把握し、注意して見守るようにする（ステップＳ３５）。或いは、スタッフは、ユーザのトレーニングを直接指導、或いは、サポートするようにしてもよい。
【０１７８】
なお、ステップＳ３１において、ユーザがスタジオを選択し、かつ、スタジオで実施されるスタジオプログラムに参加する場合は、スタッフの直接指導がなされるため、ステップＳ３２以降の動作を行わなくともよい。
【０１７９】
上述した第３の実施例は、第１の実施例と同様の変更を行うことが可能である。
【０１８０】
すなわち、図７に示した通信装置４０の近距離無線通信部４１を、電源を必要とするアクティブ型の近距離無線に変更することが可能である。この場合、近距離無線の通信として、ＮＦＣ、ＲＦＩＤ、の他に、ＩｒＤＡも使用することが可能となる。
【０１８１】
また、図７に示した携帯端末１０−２と携帯端末３０の間の無線ＬＡＮによる通信を、ベースステーションを介して行うようにすることも可能である。
【０１８２】
更に、携帯端末１０−２と携帯端末３０が、ベースステーションを介して通信を行うようにした場合、該ベースステーションにサーバ装置を接続するようにしてもよい。このサーバ装置は、フィットネスクラブなどの全てのスタッフの携帯端末３０に対して、ユーザがトレーニングを開始しようとしている旨のトレーニング開始メッセージを、送信するようにする。そして、ユーザの近くのスタッフが、ユーザのトレーニング状況を見守るようにする。
【０１８３】
以上、本発明のトレーニングシステムの第３の実施例について説明した。
【０１８４】
本実施例のトレーニングシステムは、トレーニングエリア（トレーニングエリア９０）を識別するエリアＩＤを送信する通信装置（通信装置４０）と、ユーザが用いる第１の携帯端末（携帯端末１０−２）と、スタッフが用いる第２の携帯端末（携帯端末３０）を含んでいる。
【０１８５】
通信装置は、エリアＩＤを記憶する記憶部と、第１の携帯端末と近距離無線によって通信する第１の近距離無線通信部とを含んでいる。
【０１８６】
第１の携帯端末は、通信装置と近距離無線によって通信する第２の近距離無線通信部と、第１の携帯端末の動作制御を行う制御部と、第２の携帯端末と無線通信を行う第１の無線通信部とを含んでいる。
【０１８７】
第２の携帯端末は、第１の携帯端末と無線通信を行う第２の無線通信部を含んでいる。
【０１８８】
このような構成のもと、第１の携帯端末の制御部は、近距離無線によってトレーニングエリアの通信装置からエリアＩＤを受信する。第１の携帯端末の制御部は、次に、ユーザが前記エリアＩＤを有するトレーニングエリアでトレーニングを開始しようとしている旨の第３のトレーニング開始メッセージを生成する。そして、第１の携帯端末は、無線通信によって第３のトレーニング開始メッセージを第２の携帯端末に向けて送信する。
【０１８９】
第２の携帯端末は、無線通信によって第１の携帯端末からの第３のトレーニング開始メッセージを受信すると、第３のトレーニング開始メッセージを表示あるいは発声する。
【０１９０】
このことにより、フィットネスクラブなどのスタッフは、ユーザがトレーニングエリアでトレーニングを開始しようとしていることを認識でき、当該ユーザのトレーニング状況を把握し、注意して見守ることが可能となる。
【０１９１】
従って、ユーザは、安全にトレーニングを行うことが可能となる、という効果を奏する。
【０１９２】
次に、図９、図１０、図１１を参照して、本発明のトレーニングシステムの第４の実施例について説明する。
【０１９３】
図９は、本発明のトレーニングシステムの第４の実施例を示すブロック図である。
【０１９４】
図９に示す第４の実施例は、複数のトレーニングエリア９０と、トレーニングを行うユーザが使用する携帯端末１０−３と、トレーナ或いは指導員などのスタッフが使用する携帯端末３０とを含んでいる。そして、トレーニングエリア９０の内部あるいはその付近には、当該トレーニングエリア９０に特有のエリアＩＤを送信する通信装置４０が設置されている。
【０１９５】
図９に示す第４の実施例は、図７に示した第３の実施例とは、以下の点でのみ異なるものである。
【０１９６】
すなわち、トレーニングを行うユーザが使用する携帯端末１０−３は、トレーニングエリア９０の通信装置４０から、トレーニングエリア９０のエリアＩＤを読み取る。携帯端末１０−３は、当該エリアＩＤを有するトレーニングエリア９０に適した音楽のジャンルを選択し、当該音楽のジャンルに属する楽曲を、携帯端末１０−３のヘッドセットで鳴動させる、という点でのみ異なっている。そこで、図９において図７に示す構成要素に対応するものは同一の参照数字または符号を付し、その説明を省略するものとする。
【０１９７】
図９に示すトレーニングエリア９０の通信装置４０は、図７に示した第３の実施例と同一であるため、その説明を省略する。
【０１９８】
携帯端末１０−３は、近距離無線通信部１１、制御部１２−３、記憶部１３−３、操作部１４、表示部１５、無線通信部１６、音声部１７、音楽プレーヤ１８、ヘッドセット１９を含んでいる。
【０１９９】
制御部１２−３は、図示しないＣＰＵを含んでおり、ＣＰＵが記憶部１３−３に記憶されているソフトウェアを実行することにより、携帯端末１０−３の動作制御を行う。
【０２００】
近距離無線通信部１１は、第３の実施例と同一であるため、その説明を省略する。
【０２０１】
記憶部１３−３は、携帯端末１０−３の動作制御を行うためのソフトウェアと、種目テーブルと、音楽コンテンツファイル、を記憶している。
【０２０２】
操作部１４、表示部１５、無線通信部１６、音声部１７は、第３の実施例と同一であるため、その説明を省略する。
【０２０３】
音楽プレーヤ１８は、制御部１２−３の制御により、記憶部１３−３に記憶されている音楽コンテンツファイル内の楽曲を再生し、ヘッドセット１９を鳴動させる。
【０２０４】
ヘッドセット１９は、音楽プレーヤ１８が再生する楽曲をスピーカに出力する。
【０２０５】
なお、音楽プレーヤ１８とヘッドセット１９は、有線で接続されるものであってもよいし、ブルートゥースなどの近距離無線によって接続されるものであってもよい。
【０２０６】
携帯端末３０は、第３の実施例と同一であるため、その説明を省略する。
【０２０７】
次に、図１０を参照して、携帯端末１０−３の記憶部１３−３に記憶されている種目テーブルと音楽コンテンツファイルについて説明する。
【０２０８】
図１０は、種目テーブルと音楽コンテンツファイルの一例を示す図である。
【０２０９】
図１０に示す種目テーブル６０は、６１行に示すように、エリアＩＤ６０−１の列と、エリアＩＤ６０−１ごとの音楽ジャンル６０−２の列とを備えている。
【０２１０】
例えば、６２行に示すように、エリアＩＤ「マシントレーニングエリア」に対応する音楽ジャンルは、激しいビートサウンドを特徴とする「ロック」である。つまり、マシントレーニングエリアでトレーニングを行う場合、マシントレーニングエリアに適した音楽ジャンルはロックであることを示している。但し、ここでの音楽ジャンルはあくまで一例を示すものであり、トレーニングを行うユーザが、この音楽ジャンルを自由に設定或いは変更することが可能である。
【０２１１】
同様に、６３行に示すように、フリーウェイトエリアでトレーニングを行う場合、該エリアに適した音楽ジャンルは、ソフトでノリのいい音楽と言われているポップスであることを示している。
【０２１２】
なお、６４行に示すブラックとは、アメリカの黒人によって形成されたとされ、アフリカン・アメリカン・ミュージックとも称され、強いビート感を特徴とする音楽である。
【０２１３】
また、６５行に示すリラクゼーションとは、心地よいサウンドで、癒し系の音楽とされるものである。
【０２１４】
なお、音楽ジャンルとしては、上記以外にも各種のものがあるが、それらの説明は省略する。
【０２１５】
以上説明した種目テーブル６０には、携帯端末１０−３を使用するユーザが行うトレーニングエリアについてだけ、エリアＩＤと音楽ジャンルを予め登録しておくものとする。
【０２１６】
また、図１０に示す音楽コンテンツファイル７０は、各音楽ジャンルごとに複数の楽曲を記憶するファイルである。例えば、７２行では、音楽ジャンル「ロック」の楽曲を複数記憶している。さらに、音楽コンテンツファイル７０は、ポップス（７３行）、ブラック（７４行）、リラクゼーション（７５行）などの楽曲も複数記憶している。これらの楽曲は、例えば、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ：ミディ）規格に則ったファイル形式で記憶されている。
【０２１７】
図９に示した音楽プレーヤ１８は、音楽コンテンツファイル７０に記憶されている楽曲のファイルを制御部１２−３から受け取り、これを音楽として再生し、ヘッドセット１９で鳴動させるようになっている。
【０２１８】
次に、図１１を参照して、第４の実施例の動作について説明する。
【０２１９】
図１１は、第４の実施例の動作を説明するフローチャートである。
【０２２０】
フィットネスクラブなどでトレーニングを行うユーザ（すなわち、トレーニング者）は、トレーニングを行うトレーニングエリア９０を選択する（図１１のステップＳ４１）。
【０２２１】
次に、ユーザは、携帯端末１０−３の近距離無線通信部１１を、トレーニングエリア９０の通信装置４０の近距離無線通信部４１に近づける。そして、ユーザは携帯端末１０−３の操作部１４を操作し、通信装置４０が記憶部４３に記憶しているエリアＩＤを読み取るための読取命令を、入力する。携帯端末１０−３の制御部１２−３は、エリアＩＤを読み取るための読取命令を操作部１４から受け取ると、近距離無線通信部１１を動作させ、通信装置４０の近距離無線通信部４１に対し、読取命令を電波で送信する。
【０２２２】
通信装置４０の近距離無線通信部４１が携帯端末１０−３の近距離無線通信部１１から電波を受信すると、該電波によって電力を得、通信装置４０の制御部４２が動作を開始する。制御部４２は、近距離無線通信部４１が受信した電波に、読取命令が有ることを認識すると、記憶部４３からトレーニングエリア９０のエリアＩＤを取得する。そして、制御部４２は、取得したエリアＩＤを、近距離無線通信部４１を介して、携帯端末１０−３の近距離無線通信部１１に返送する。
【０２２３】
携帯端末１０−３の近距離無線通信部１１は、通信装置４０から返送されたエリアＩＤを、制御部１２−３に送出する（ステップＳ４２）。
【０２２４】
携帯端末１０−３の制御部１２−３は、エリアＩＤを取得すると、該エリアＩＤを記憶部１３−３内の種目テーブル６０と比較し、該エリアＩＤに対応する音楽ジャンルを選択する（ステップＳ４３）。例えば、取得したエリアＩＤがマシントレーニングエリアであることを示している場合、該エリアＩＤに対応する音楽ジャンルとして、ロックを選択する（図１０の種目テーブル６０の６２行）。
【０２２５】
携帯端末１０−３の制御部１２−３は、次に、選択した音楽ジャンルに含まれる楽曲を、音楽コンテンツファイル７０から選択する。そして、制御部１２−３は、その楽曲を音楽プレーヤ１８に送出する。音楽プレーヤ１８は、その楽曲を再生し、ヘッドセット１９を鳴動させる（ステップＳ４４）。なお、１つの音楽ジャンルに複数の楽曲が含まれている場合は、楽曲の選択はランダムに、或いは、選択優先順位順に、など、どのような方法で選択してもよい。
【０２２６】
携帯端末１０−３の制御部１２−３は、ユーザのトレーニングの終了か否かを判定する（ステップＳ４５）。トレーニングを終了する場合は、例えば、ユーザが携帯端末１０−３の操作部１４の終了キー押下などを行えばよい。
【０２２７】
トレーニングの終了である場合（ステップＳ４５でＹｅｓ）、携帯端末１０−３は楽曲の再生を停止する。トレーニングの終了でない場合（ステップＳ４５でＮｏ）、携帯端末１０−３の制御部１２−３はステップＳ４４に戻り、楽曲の再生を継続させる。ここで、再生中の楽曲が終了した場合は、次の楽曲を選択して再生を行うようにしてもよいし、或いは、同一の楽曲を再度再生するようにしてもよい。
【０２２８】
なお、ステップＳ４１において、ユーザがスタジオを選択し、かつ、スタジオで実施されるスタジオプログラムに参加する場合は、スタッフの直接指導がなされ、かつ、通常であれば音楽も流されるため、ステップＳ４２以降の動作は行われない。
【０２２９】
上述した第４の実施例は、第１の実施例と同様の変更を行うことが可能である。
【０２３０】
すなわち、図９に示したトレーニングエリア９０の通信装置４０の近距離無線通信部４１を、電源を必要とするアクティブ型の近距離無線に変更することが可能である。この場合、近距離無線の通信として、ＮＦＣ、ＲＦＩＤ、の他に、ＩｒＤＡも使用することが可能となる。
【０２３１】
また、図９に示した携帯端末１０−３と携帯端末３０の間の無線ＬＡＮによる通信を、ベースステーションを介して行うようにすることも可能である。
【０２３２】
更に、携帯端末１０−２と携帯端末３０が、ベースステーションを介して通信を行うようにした場合、該ベースステーションにサーバ装置を接続するようにしてもよい。
【０２３３】
なお、第４の実施例において、上述のサーバ装置に、音楽コンテンツファイルを搭載し、サーバ装置から携帯端末１０−３に音楽コンテンツファイルをダウンロードするようにしてもよい。この変更を行えば、第４の実施例で述べた携帯端末１０−３には、音楽コンテンツファイル７０を記憶させておかなくともよい。
【０２３４】
以上、本発明のトレーニングシステムの第４の実施例について説明した。
【０２３５】
本実施例のトレーニングシステムは、トレーニングエリア（トレーニングエリア９０）を識別するエリアＩＤを送信する通信装置（通信装置４０）と、ユーザが用いる第１の携帯端末（携帯端末１０−３）と、スタッフが用いる第２の携帯端末（携帯端末３０）を含んでいる。
【０２３６】
そして、第１の携帯端末は、第３の実施例に加え、さらに、エリアＩＤに対応する音楽ジャンルを示すテーブルを記憶するテーブル記憶部を含んでいる。
【０２３７】
このような構成のもと、第１の携帯端末の制御部は、近距離無線によってトレーニングエリアの通信装置からエリアＩＤを受信すると、テーブルから前記エリアＩＤに対応する音楽ジャンルを選択する。そして、第１の携帯端末の制御部は、前記音楽ジャンルに含まれる楽曲を第１の携帯端末に接続されるヘッドセットで再生させる。
【０２３８】
このことにより、フィットネスクラブなどのトレーニングエリアでトレーニングを行うユーザは、トレーニングエリアに適した音楽ジャンルの楽曲を聞きながらトレーニングを行うことが可能となる。
【０２３９】
従って、ユーザは、メンタルな面からも音楽によるサポートを得ることが出来るため、トレーニング効果を一層高めることが可能となる、という効果を奏する。
【図面の簡単な説明】
【０２４０】
【図１】本発明のトレーニングシステムの実施の形態を示すブロック図である。
【図２】本発明のトレーニングシステムの第１の実施例を示すブロック図である。
【図３】第１の実施例の動作を説明するフローチャートである。
【図４】本発明のトレーニングシステムの第２の実施例を示すブロック図である。
【図５】最大負荷テーブルの一例を示す図である。
【図６】第２の実施例の動作を説明するフローチャートである。
【図７】本発明のトレーニングシステムの第３の実施例を示すブロック図である。
【図８】第３の実施例の動作を説明するフローチャートである。
【図９】本発明のトレーニングシステムの第４の実施例を示すブロック図である。
【図１０】種目テーブルと音楽コンテンツファイルの一例を示す図である。
【図１１】第４の実施例の動作を説明するフローチャートである。
【図１２】フィットネスクラブなどでのトレーニング方法の一例を示すフローチャートである。
【符号の説明】
【０２４１】
１    携帯端末
３    携帯端末
１０    携帯端末
１０−１    携帯端末
１０−２    携帯端末
１０−３    携帯端末
１１    近距離無線通信部
１２    制御部
１２−１    制御部
１２−２    制御部
１２−３    制御部
１３    記憶部
１３−１    記憶部
１３−２    記憶部
１３−３    記憶部
１４    操作部
１５    表示部
１６    無線通信部
１７    音声部
１８    音楽プレーヤ
１９    ヘッドセット
２０    トレーニング機材
２１    近距離無線通信部
２２    制御部
２２−１    制御部
２３    記憶部
２３−１    記憶部
２９    負荷センサ
３０    携帯端末
３２    制御部
３３    記憶部
３４    操作部
３５    表示部
３６    無線通信部
３７    音声部
４０    通信装置
４１    近距離無線通信部
４２    制御部
４３    記憶部
５０    最大負荷テーブル
６０    種目テーブル
７０    音楽コンテンツファイル
９０    トレーニングエリア
【図１】
2009018026.tif 000003
【図２】
2009018026.tif 000004
【図３】
2009018026.tif 000005
【図４】
2009018026.tif 000006
【図５】
2009018026.tif 000007
【図６】
2009018026.tif 000008
【図７】
2009018026.tif 000009
【図８】
2009018026.tif 000010
【図９】
2009018026.tif 000011
【図１０】
2009018026.tif 000012
【図１１】
2009018026.tif 000013
【図１２】
2009018026.tif 000014